(57)【特許請求の範囲】
【請求項１】
受け部２６を有する取付座板２１と、この取付座板２１の一側上面に摺動可能に載せられた駆動ラッチ３０と、この駆動ラッチの一側に載せるように組み合わせられたプレート状の衝打片４５と、この衝打片の案内長孔４８と前記駆動ラッチの案内長孔３３を貫通して該衝打片及び駆動ラッチを前記取付座板に連結状態に支持させる複数本の固定軸３１と、これらの固定軸３１の一つに中央部が支持され、かつ両端部が前記駆動ラッチ３０の切欠部３８、３９にそれぞれ支持されたバネ部材４０と、クレセント１の操作ハンドル３と対向する一側壁に窓１２を有し、かつ窓サッシの垂直側壁Ｙに固定されるカバーボックス１０とを備え、前記カバーボックスに内装された前記駆動ラッチ及び衝打片は、前記バネ部材に付勢された状態で前記駆動ラッチの係合爪部３６が前記窓１２から略突出し、操作ハンドル３を施錠方向へ回転すると、操作ハンドル３の縁部３ａが係合爪部３６に摺接して駆動ラッチ３０及び衝打片４５が共に前記固定軸を介して案内長孔３３，４８に案内されながら、かつバネ部材４０のバネ力に抗してカバーボックス１０内へと後退し、操作ハンドル３の縁部３ａが係合爪部３６を越えると、バネ部材４０の復帰力により、駆動ラッチ３０の係合爪部３６はカバーボックス１０の窓１２から略飛び出すと共に、衝打片４５の衝打部５０が取付座板２１の受け部２６に衝突することを特徴とするクレセントの施錠確認装置。
【請求項２】
請求項１に於いて、衝打片４５と取付座板２１は、それぞれ金属製の部材であることを特徴とするクレセントの施錠確認装置。
【請求項３】
請求項１に於いて、駆動ラッチ３０は、一側上面に凹所３２を有する盤状体であり、また駆動ラッチ３０は、バネ部材の両端部を受入れる大小の切欠部３９，３８を介して段差状の囲繞壁部３５，３７を有していることを特徴とするクレセントの施錠確認装置。
【請求項４】
取付座板２１と、この取付座板２１の一側上面に摺動可能に載せられた駆動ラッチ３０と、この駆動ラッチの一側に載せるように組み合わせられたプレート状の衝打片４５Ａと、この衝打片の案内長孔４８と前記駆動ラッチの案内長孔３３を貫通して該衝打片及び駆動ラッチを前記取付座板に連結状態に支持させる複数本の固定軸３１と、これらの固定軸３１の一つに中央部が支持され、かつ両端部が前記駆動ラッチ３０の切欠部３８、３９にそれぞれ支持されたバネ部材４０と、クレセント１の操作ハンドル３と対向する一側壁に窓１２を有し、かつ窓サッシの垂直側壁Ｙに固定されるカバーボックス１０Ａとを備え、前記カバーボックスに内装された前記駆動ラッチ及び衝打片は、前記バネ部材に付勢された状態で前記駆動ラッチの係合爪部３６が前記窓１２から略突出し、操作ハンドル３を施錠方向へ回転すると、操作ハンドル３の縁部３ａが係合爪部３６に摺接して駆動ラッチ３０及び衝打片４５Ａが共に前記固定軸を介して案内長孔３３，４８に案内されながら、かつバネ部材４０のバネ力に抗してカバーボックス１０内へと後退し、操作ハンドル３の縁部３ａが係合爪部３６を越えると、バネ部材４０の復帰力により、駆動ラッチ３０の係合爪部３６はカバーボックス１０の窓１２から略飛び出すと共に、衝打片４５Ａの衝打部５０Ａがカバーボックス１０Ａの内壁面に衝突することを特徴とするクレセントの施錠確認装置。
【発明の詳細な説明】
【０００１】
【発明の属する技術分野】
本発明は、クレセントの施錠確認装置に関する。
【０００２】
【従来の技術】
従来、クレセントの構造に関する発明は、例えば特開平９−７８９０１号公報、特開平９−２１７５３７号公報などに開示されている。これら従来のクレセントは、主として防犯を目的とするものが多い。
【０００３】
ところで、クレセントは、普通一般にスライドロック機構を備えているものが普及しているものの、日常生活では、長期に外出する以外は、前記ロック機構をロック状態にせず、単に操作ハンドルを施錠（係合）方向へと回し、半円弧状のクレセント係合片を鉤状クレセント受け金具に係合状態にするのが一般的である。ところが、係合片と受け金具との係合状態は、人により様々であり、例えば完全に施錠する人、中途半端に施錠する人等がいる。
【０００４】
そこで、現在、望ましくは既に実施化されているクレセントの構造を変更することなく、クレセントの施錠状態を確認することができる装置の出現が要望されている。
【０００５】
【発明が解決しようとする課題】
本発明は以上のような従来の要望点に鑑み、第１の目的は、クレセントの操作ハンドルを施錠方向へ回した際に、クレセントが確実に施錠したか否かを「音」で確認することができることである。第２の目的は、各構成部材をカバーボックス内に合理的に組込むことができることである。第３の目的は、駆動ラッチ及び衝打片がスムースに作動することができることである。
【０００６】
【課題を解決するための手段】
本発明のクレセントの施錠確認装置は、受け部２６を有する取付座板２１と、この取付座板２１の一側上面に摺動可能に載せられた駆動ラッチ３０と、この駆動ラッチの一側に載せるように組み合わせられたプレート状の衝打片４５と、この衝打片の案内長孔４８と前記駆動ラッチの案内長孔３３を貫通して該衝打片及び駆動ラッチを前記取付座板に連結状態に支持させる複数本の固定軸３１と、これらの固定軸３１の一つに中央部が支持され、かつ両端部が前記駆動ラッチ３０の切欠部３８、３９にそれぞれ支持されたバネ部材４０と、クレセント１の操作ハンドル３と対向する一側壁に窓１２を有し、かつ窓サッシの垂直側壁Ｙに固定されるカバーボックス１０とを備え、前記カバーボックスに内装された前記駆動ラッチ及び衝打片は、前記バネ部材に付勢された状態で前記駆動ラッチの係合爪部３６が前記窓１２から略突出し、操作ハンドル３を施錠方向へ回転すると、操作ハンドル３の縁部３ａが係合爪部３６に摺接して駆動ラッチ３０及び衝打片４５が共に前記固定軸を介して案内長孔３３，４８に案内されながら、かつバネ部材４０のバネ力に抗してカバーボックス１０内へと後退し、操作ハンドル３の縁部３ａが係合爪部３６を越えると、バネ部材４０の復帰力により、駆動ラッチ３０の係合爪部３６はカバーボックス１０の窓１２から略飛び出すと共に、衝打片４５の衝打部５０が取付座板２１の受け部２６に衝突することを特徴とする。
【０００７】
また本発明のクレセントの施錠確認装置は、取付座板２１と、この取付座板２１の一側上面に摺動可能に載せられた駆動ラッチ３０と、この駆動ラッチの一側に載せるように組み合わせられたプレート状の衝打片４５Ａと、この衝打片の案内長孔４８と前記駆動ラッチの案内長孔３３を貫通して該衝打片及び駆動ラッチを前記取付座板に連結状態に支持させる複数本の固定軸３１と、これらの固定軸３１の一つに中央部が支持され、かつ両端部が前記駆動ラッチ３０の切欠部３８、３９にそれぞれ支持されたバネ部材４０と、クレセント１の操作ハンドル３と対向する一側壁に窓１２を有し、かつ窓サッシの垂直側壁Ｙに固定されるカバーボックス１０Ａとを備え、前記カバーボックスに内装された前記駆動ラッチ及び衝打片は、前記バネ部材に付勢された状態で前記駆動ラッチの係合爪部３６が前記窓１２から略突出し、操作ハンドル３を施錠方向へ回転すると、操作ハンドル３の縁部３ａが係合爪部３６に摺接して駆動ラッチ３０及び衝打片４５Ａが共に前記固定軸を介して案内長孔３３，４８に案内されながら、かつバネ部材４０のバネ力に抗してカバーボックス１０内へと後退し、操作ハンドル３の縁部３ａが係合爪部３６を越えると、バネ部材４０の復帰力により、駆動ラッチ３０の係合爪部３６はカバーボックス１０の窓１２から略飛び出すと共に、衝打片４５Ａの衝打部５０Ａがカバーボックス１０Ａの内壁面に衝突することを特徴とする。
【０００８】
【発明の実施の形態】
以下、図面に示すクレセントの施錠確認装置Ｘについて説明する。まずクレセントについて簡単に説明する。クレセントは、周知のように建物に形成された窓枠体内を水平スライドする窓サッシの側壁に取付けられている。図１及び図２は、仮想線でクレセント１の一例を示す。クレセント１は、窓サッシの垂直側壁Ｙに固着具を介して固定されるケース本体２と、このケース本体２に回動自在に設けられた操作レバー３とから構成されている。ケース本体２の形態は特に問わないが、普通一般にケース本体２は、取付用ビス孔を上下にそれぞれ有するベース板部２ａと、このベース板部２ａの中央部に長箱状に突出形成されたボックス部２ｂとから成る。操作レバー３は、図２で示すように前記ボックス部２ｂの表面（一側面）４と対向するようにケース本体２に軸支され、図示しない鉤状のクレセント受け金具と係合する半円弧状のクレセント係合片５を有する。
【０００９】
次にクレセントの施錠確認装置Ｘについて説明する。なお、この一実施例の説明において、上下／左右の用語は、図５を基準にする。
【００１０】
１０は裏面が開放のカバーボックスである。このカバーボックス１０は合成樹脂材で一側開口の四角い箱状に形成され、かつ、表面１１の上部寄りの部位には方形の窓１２が形成されている。カバーボックス１０は、前記表面１１（ここでは便宜上「一側壁」と言う。）の四辺から連なってそれぞれ対向する上下壁１３，１４並びに左右の側壁１５，１６を有している。したがって、カバーボックス１０の内部は、次に説明する各構成部材を収納することができる空間部となっている。
【００１１】
ところで、カバーボックス１０の一側壁１１の左右の幅は、図１で示すようにクレセント１のベース板部２ａの横幅と略同一寸法である。また、カバーボックス１０の左右の側壁１５，１６の開放端に至る幅も、図２で示すようにクレセント１のボックス部２ｂのそれと略同一寸法である。
【００１２】
したがって、カバーボックス１０が、クレセント１のベース板部２ａの上端面側に取付けられた場合、例えば図１及び図２で示すようにベース板部２ａの上端面に当接するように窓サッシの垂直側壁Ｙに固定された場合には、カバーボックス１０の一側面１１とクレセント１のボックス部２ｂの表面４とが、略同一の垂直面となる。
【００１３】
次にカバーボックス１０に収納される各構成部材について説明する。２１はクレセント１のベース板部２ａの上端面を基準として窓サッシの垂直側壁Ｙに固定される金属製取付座板である。この取付座板２１は、複数個の固着具（取付ビス）２２を介して前記窓サッシに固着される。取付座板２１は全体としてＬ型状に形成され、本実施例では、前記取付位置調整用挿通孔２３を複数個有する垂直の取付板部２４と、この取付板部２４の上端部から水平方向へ折曲げ形成された水平の軸受け板部２５とから成り、前記軸受け板部２５の先端角部には、垂直方向に立ち上がった突片状受け部２６が形成されている。また軸受け板部２５の中央部には、一対の軸用透孔２７が形成されている。
【００１４】
ところで、取付座板２１は、図３及び図４で示すようにカバーボックス１０に嵌合状態に収納される。図３は図１の３−３線（クレセントの上方）から見た説明図であり、取付座板２１の前記突片状受け部２６は、カバーボックス１０の一側面１１の内壁面に接触する／或いは接触するかのように位置している。一方、図４は、図１を正面図とした場合の背面図であり、取付座板２１の垂直取付板部２４の下端中央部には、カバーボックス１０の下壁１４の開放端部に形成した切欠部１４ａに遊嵌合する短片状嵌合突起２４ａが設けられている。
【００１５】
３０は取付座板２１の水平軸受け板部２５の一側上面に複数個の固定軸３１を介して摺動可能に添設される駆動ラッチである。この駆動ラッチ３０は、合成樹脂材で盤状に形成され、該盤状体の一側上面には凹所３２が設けられている
しかして、３３は前記凹所３２の底板部３４に形成された水平案内長孔で、この水平案内長孔３３は、他の固定軸３１を受け入れることが可能な案内切欠部３３ａを有している。したがって、後述するように、駆動ラッチ３０はカバーボックス１０に対して進退動するのみならず、一つの固定軸３１を支点に回動することもできる。３５は前記底板部３４に連なる弧状の第１囲繞壁部で、この第１囲繞壁部３５は外周壁の中央部或いは中央部寄りの部位に係合爪部３６を有している。そして、前記係合爪部３６には、前述した操作レバー３の内側縁部３ａと接線方向に摺接するテーパ面３６ａと、このテーパ面３６ａに対して交差方向に設けられた係止面３６ｂとがそれぞれ形成されている。
【００１６】
一方、３７は底板部３４に連なるやや弧状の第２囲繞壁部で、この第２囲繞壁部３７は前記第１囲繞壁部３５に対して設けられているものの、該第１囲繞壁部３５よりも肉厚が薄い。つまり、底板部３４を基準に高低差に着目して両繞壁部３５，３７を説明すると、第１囲繞壁部３５は第２囲繞壁部３７よりも高い（段差状である）。
【００１７】
ところで、第１囲繞壁部３５と第２囲繞壁部３７は、二つの切欠部を介して離れている。図面上の小切欠部３８は、固定軸３１の一つに巻装されたバネ部材４０の一端部４０ａを嵌め込むためのものであり、一方、小切欠部３８に対して反対側に形成された大（幅広）切欠部３９は、前記バネ部材４０の他端部４０ｂを挿通させるためのものである。
【００１８】
４５は複数個の固定３１を介して駆動ラッチ４５の一側に添設状態に組込まれる金属製衝打片である。この衝打片４５は、駆動ラッチ３０の第１囲繞壁部３５及び第２囲繞壁部３７と関わり合う幅広嵌合部４６と、この幅広嵌合部４６に連設して前記第１囲繞壁部３５から飛び出ている突片部４７とを有する。
【００１９】
しかして、前記幅広嵌合部４６には、駆動ラッチ３０の前述した水平案内長孔３３と符合する案内長孔４８が形成されている。また幅広嵌合部４６には、前記第１囲繞壁部３５の弧状内周壁に規制される半円形状部分４９が形成されている。一方、前記突片部４７には下方方向へ垂直に折曲げ形成された衝打部５０が形成されている。
【００２０】
ところで、本実施例では、プレート状の衝打片４５は、駆動ラッチ４５の一側に添設状態に組込まれると、その幅広嵌合部４６の一部は、第２囲繞壁部３７の上面に乗っかる状態となる。この場合駆動ラッチ４５の第２囲繞壁部３７は必ずしも必須要件ではないが、バネ部材４０の中央部の大きさ、或いはバネ部材４０に直接当接させると衝打片４５の安定性を失う等の理由から、望ましくは繞壁部３５，３７を段差状に形成し、低い方の第２囲繞壁部３７に衝打片４５を支持させた方が良い。
【００２１】
上記構成において、クレセントの施錠確認装置Ｘを窓サッシの垂直側壁Ｙに取付ける場合について簡単に説明する。前述したように施錠確認装置Ｘは、クレセント１のベース板部２ａの上端面を基準として図１及び図２で示すようにクレセント１の上方に取付けられる。この場合クレセント１の操作ハンドル３を施錠した場合には、上方に位置する操作ハンドル３の操作端部は、施錠確認装置Ｘのカバーボックス１０の一側面１１に対向する必要がある。
【００２２】
そこで、上記操作ハンドル３の回動位置を念頭に、まず金属製取付座板２１を窓サッシの垂直側壁Ｙに固着具２２を介して固定する。次に駆動ラッチ３０の第１囲繞壁部３５及び第２囲繞壁部３７に衝打片４５を添設状態に組込む（載せるように組み合わせる）。この場合バネ部材４０の各端部４０ａ，４０ｂが駆動ラッチ３０の大・小の切欠部３８，３９に嵌まり合うようにする。次に、固定軸３１を前記衝打片４５の水平長孔４８、バネ部材４０の中央部、駆動ラッチ３０の水平案内長孔３３、取付座板２１の軸用透孔２７にそれぞれ挿通させ、衝打片４５及び駆動ラッチ３０を取付座板２１の一側上面側に連結状態に支持させる。そして、カバーボックス１０で各部材を覆う。
【００２３】
次に図６乃至図９を参照に、本実施例の作動態様について説明する。図６は、クレセント１の操作ハンドル３が矢印Ａで示す施錠方向へ移動いている場合の説明図である。クレセント係合片５が鉤状クレセント受け金具に係合していない解錠時に於いて、駆動ラッチ３０及び衝打片４５は固定軸３１の一つに巻装されたバネ部材４０に付勢され、前記駆動ラッチ３０の係合爪部３６はカバーボックス１０の窓１２から略飛び出ている（初期状態）。
【００２４】
そこで、クレセント１の操作ハンドル３を矢印Ａの施錠方向へ回転すると、操作ハンドル３の縁部３ａが前記係合爪部３６のテーパ面３６ａに摺接する。そうすると、駆動ラッチ３０及び衝打片４５は、共に固定軸３１に案内されながにバネ部材４０のバネ力に抗してカバーボックス１０内へと後退する。
【００２５】
図７は図６の続きである。操作ハンドル３の縁部３ａがテーパ面３６ａを押しながら係合爪部３６を越えると、バネ部材４０の復帰力が直ちに衝打片４５及び該衝打片４５を介して駆動ラッチ３０に加わり、両部材４５，３０は一緒に初期状態に戻ろうとする。その結果、駆動ラッチ３０の係合爪部３６はカバーボックス１０の窓１２から略飛び出すと共に、金属製の衝打片４５の衝打部５０が金属製の取付座板２１の突片状受け部２６に衝突する。この時「金属音：パチン」と言う音がする。
【００２６】
次に図８及び図９は、クレセント１の施錠（係合）状態から解錠（非係合）状態になる場合の説明図である。操作ハンドル３を矢印Ｂ方向へ回転すると、操作ハンドル３の縁部３ａが係合爪部３６の係止面３６ｂを押しつける格好となる。そこで、操作ハンドル３の縁部３ａで押しつけられた駆動ラッチ３０は固定軸３１の一つを支点に回転し始める。この場合衝打片４５はそのままである。駆動ラッチ３０が単独で半時計方向へと回転すると、駆動ラッチ３０の逃がし用の案内切欠部３３ａに他の固定軸３１が入込む。そして、操作ハンドル３の縁部３ａがテーパ面３６ａへと移行すると、駆動ラッチ３０はバネ部材４０のバネ力により初期状態へと復帰する。
【００２７】
【実施例】
クレセントの施錠確認装置Ｘのカバーボックス１０とクレセント１とは別体であるが、クレセント１自体にカバーボックス１０を形成しても良い。この場合カバーボックス１０は、クレセント１のベース板部２ａ又はボックス部２ｂの上部側に一体成形される。
【００２８】
次に図１０及び図１１に示す本発明の第２実施例について説明する。なお、この第２実施例は前記第１実施例と構成が同一なので、同一の部分には同一の符合を用い、重複する説明を省略する。
【００２９】
この第２実施例に於いて、前記第１実施例と主に異なる点は、プレート状衝打片４５Ａの突片部４７Ａをやや長径状に形成し、該突片部４７Ａの先端部に折曲げ形成された衝打部５０Ａが、図１１で示すようにカバーボックス１０Ａの一側壁（表面）１１Ａの内壁面に直接衝突するように構成したこと、したがって、取付座板２１Ａには突片状受け部が形成されていないことである。この実施例の場合、カバーボックス１０Ａの素材は音が反響するように金属であることが望ましい。
【００３０】
【発明の効果】
以上の説明から明らかなように、本発明にあっては、次に列挙するような効果がある。
（１）クレセントの操作ハンドルを施錠方向へ回した際に、クレセントが確実に施錠したか否かを「音」で確認することができる。
（２）各構成部材をカバーボックス内に合理的に組込むことができる。
（３）駆動ラッチ及び衝打片がスムースに作動する。
【図面の簡単な説明】
図１乃至図９は本発明の第１実施例を示す各説明図。図１０及び図１１は本発明の第２実施例を示す各説明図。
【図１】発明の実施の形態を示す概略説明図（これを正面図とする）。
【図２】発明の実施の形態を示す概略説明図（室内から窓を見た場合）。
【図３】図１の３−３線（クレセントの上方）から見た説明図。
【図４】図１を基準とした背面図。
【図５】分解斜視図。
【図６】操作ハンドルを施錠方向へ回している場合の説明図。
【図７】操作ハンドルの縁部が係合爪部を越えた場合の説明図。
【図８】操作ハンドルを解錠方向へ回している場合の説明図。
【図９】操作ハンドルの縁部が係合爪部から離れた場合の説明図。
【図１０】第２実施例の図５と同様な図。
【図１１】第２実施例の図７と同様な図。
【符号の説明】
Ｘ…施錠確認装置、Ｙ…窓サッシの垂直側壁、１０，１０Ａ…カバーボックス、１１，１１Ａ…一側壁、１２…窓、２１，２１Ａ…取付座板、２４…取付板部、２５…軸受け板部、２６…受け部、３０…駆動ラッチ、３２…凹所、３３…水平案内長孔、３４…底板部、３５…第１囲繞壁部、３６…係合爪部、３６ａ…テーパ面、３６ｂ…係止面、３７…第２囲繞壁部、３８…小切欠部、３９…大切欠部、４０…バネ部材、４０ａ…一端部、４０ｂ…他端部、４５，４５Ａ…衝打片、４６…嵌合部、４７，４７Ａ…突片部、４８…案内長孔、４９…半円形状部分、５０，５０Ａ…衝打部。
【図１】
0004097857.tif 000002
【図２】
0004097857.tif 000003
【図３】
0004097857.tif 000004
【図４】
0004097857.tif 000005
【図５】
0004097857.tif 000006
【図６】
0004097857.tif 000007
【図７】
0004097857.tif 000008
【図８】
0004097857.tif 000009
【図９】
0004097857.tif 000010
【図１０】
0004097857.tif 000011
【図１１】
0004097857.tif 000012